(57)【要約】      （修正有）【課題】大きな面積の広告表示部を設けることができる台紙と、継続的に広告機能を発揮する広告表示部を設けることができるボトルキーパーとを組み合わせることにより、効果的な宣伝広告を行うことができる広告媒体を提供する。【解決手段】広告媒体１は、アルコール飲料のボトルの首部から吊り下げられるボトルキーパー２と、ボトルキーパー２を係止する台紙３と、表面に文字及び／又は記号が表記され、裏面に粘着剤が塗布された、複数の文字シール４ａを備え、かつ、これらの文字シール４ａを個々に剥離可能に担持した、文字シールシート４と、台紙３に画成された第一の広告表示部Ａと、ネームプレート２ａに画成された第二の広告表示部Ｂと、ネームプレート２ａに画成された文字シール４ａの貼着部と有する。【選択図】図１
0003190645.tif 000002
【実用新案登録請求の範囲】
【請求項１】
アルコール飲料のボトルの首部に掛けられる係止部材にネームプレートを連結して成るボトルキーパーと、前記ボトルキーパーを係止する台紙と、表面に文字及び／又は記号が表記され、裏面に粘着剤が塗布された、複数の文字シールを備え、かつ、前記文字シールを個々に剥離可能に担持した、文字シールシートと、前記台紙に画成された第一の広告表示部と、前記ネームプレートに画成された第二の広告表示部と、前記ネームプレートに画成された前記文字シールの貼着部と有することを特徴とする、広告媒体。
【請求項２】
請求項１に記載した広告媒体において、前記台紙にアルコール飲料のボトルの図画又は写真を印刷し、前記図画又は写真の前記ボトルの胴部に前記第一の広告表示部を画成し、前記図画又は写真の前記ボトルの頭部及び肩部に沿って前記台紙に切込みを形成し、前記ボトルキーパーの前記係止部材を前記切込みに係合させ、前記ネームプレートを前記図画又は写真の前記ボトルの上に配置したことを特徴とする、前記広告媒体。
【請求項３】
請求項１に記載した広告媒体において、前記ネームプレートを木製又は合成樹脂製の板状部材で構成し、前記板状部材の一方の面を前記第二の広告表示部とし、前記板状部材の他方の面を空白部とし、前記空白部を前記文字シールの貼着部としたことを特徴とする、前記広告媒体。
【請求項４】
請求項１に記載した広告媒体において、前記ボトルキーパーの前記係止部材を紐状部材によって構成し、前記紐状部材によって、アルコール飲料のボトルの首部に係合する環状部を形成したことを特徴とする、前記広告媒体。
【請求項５】
請求項１に記載した広告媒体において、前記文字シールシートは、五十音、拗音、促音、濁音及び半濁音を含む、全てのひらがなを個々に表記した複数の文字シールと、敬称を表記した複数の文字シールを含むことを特徴とする、前記広告媒体。
【請求項６】
請求項１に記載した広告媒体において、少なくとも第一及び第二の広告表示部とボトルキーパーと全部又は一部の文字シールを包装の外部から目視することができるように、前記ボトルキーパーと前記台紙と前記文字シールシートを一体に包装したことを特徴とする、広告媒体。
【請求項７】
請求項２に記載した広告媒体において、前記台紙と前記文字シールシートを同一の寸法及び形状に形成し、前記図画又は写真と前記文字シールとが露出するように前記台紙と前記文字シールシートを重ね合わせ、前記図画又は写真と前記文字シールとが露出するように重ね合わされた前記台紙と前記文字シールを、前記ボトルキーパーと共に、透明な包装体に収納したことを特徴とする、前記広告媒体。
【考案の詳細な説明】
【技術分野】
【０００１】
本考案は、アルコール飲料のボトルの首部から吊り下げられるボトルキーパーを利用した広告媒体に関するものである。
【背景技術】
【０００２】
従来、飲食店の業務用の備品に種々の宣伝広告文を表示した広告媒体が提案されている。例えば、特開２００５−２３４４３２号公報には、割り箸の先端部を収容する箸袋の外側に広告面を設け、割り箸をテーブル等に置いた時に、この広告面がテーブル面に対して確実に立設されるように構成された広告媒体が開示されている。この広告面には、広告主の会社名や連絡先等が記載され（同公報第３頁第６乃至７行参照）、飲食物等を提供する主体に限られることなく、広く他の者の広告を印刷することもできる（同公報第３頁第３６乃至３７行参照）。この広告媒体によれば、割り箸をテーブル等に置いた時に、広告面がテーブル面に対して確実に立設されることになり、高い広告効果が得られる（同公報第２頁第４６乃至４７行参照）。更に、割り箸を割って食事している間に、この広告媒体の袋部に割り箸の先端部を収容することで、テーブル上面に対して広告面が立設することが可能な箸置きとしても機能することになる。従って、少なくとも食事が終わるまでの間、この広告媒体は有効に広告機能を発揮し続けることになる（同公報第３頁第１２乃至１６行参照）。
【０００３】
また、実用新案登録第３１１２２４２号公報には、不特定多数の人に対して店舗情報を提供するのではなく、飲食店を実際に利用した人に対して店舗情報を提供するため、飲食店のテーブル常備品および飲食店が宣伝用に配布するノベルティーに、その飲食店の店舗情報にアクセスすることができるＱＲコード（登録商標）を表示するという考案が記載されている。この考案によれば、店に入った客が気に入ったときのみＱＲコード（登録商標）を撮影するので、店へのリピート率や、くちコミ率も高くなると共に、顧客の満足度を高めることができる（同公報第３頁第１６乃至１７行参照）。
【０００４】
実用新案登録第３１０５６８０号公報には、袋体の外表面又は外裏面のいずれか一方あるいは双方に広告主が依頼する商品又はサービスに関する情報を表示した広告表示部を設けると共に、一本あるいは複数本の割り箸をこの袋体に収納して透明包装体により包装することを特徴とする、広告宣伝配布用割り箸が開示されている（同公報第２頁第３乃至５行参照）。かかる広告宣伝用割り箸によれば、袋体に収納された割り箸を透明包装体で完全密封するため、広告表示部の視認性を阻害することなく、塵埃等で割り箸が汚れることを防止できる。したがって、衛生的な広告宣伝配布用割り箸を一般通行人に配布し、大きな宣伝効果をもたらすことができる（同公報第３頁第２７乃至３０行参照）。
【先行技術文献】
【特許文献】
【０００５】
【特許文献１】特開２００５−２３４４３２号公報
【特許文献２】実用新案登録第３１１２２４２号公報
【特許文献３】実用新案登録第３１０５６８０号公報
【考案の概要】
【考案が解決しようとする課題】
【０００６】
特開２００５−２３４４３２号公報に開示された割り箸の箸袋は、テーブル上面に対して広告面を立設させる形態で箸置きとして使用されることにより、食事中も所期の広告機能を発揮する。しかし、飲食店の備品として提供された割り箸や箸袋を、飲食後に自宅等に持ち帰って、繰り返し使用することは稀であろうから、かかる箸袋が広告機能を発揮するのは、一回の食事に要する時間に限られる。
【０００７】
これに対し、実用新案登録第３１１２２４２号公報に開示された考案によって、ＱＲコード（登録商標）を介して入手した飲食店の店舗情報は、繰り返し見ることができる。しかし、ＱＲコード（登録商標）を利用しない客に対しては、この店舗情報が広告機能を発揮することはない。
【０００８】
実用新案登録第３１０５６８０号公報の割り箸は、駅前や繁華街等の路上で一般通行人に配布され、配布を受けた通行人が自宅で使用する割り箸であるから、飲食店の業務用の備品ではない。しかし、割り箸は、本来、一回使用されれば廃棄される、所謂、使い捨ての箸であるから、実用新案登録第３１０５６８０号公報の割り箸は、特開２００５−２３４４３２号公報の割り箸と同様に、繰り返し使用されることは多くはないと思われる。そして、割り箸が廃棄されれば、その箸袋も同時に廃棄されるのが通常である。したがって、実用新案登録第３１０５６８０号公報の割り箸が広告機能を発揮するのは、通行人がこの割り箸を自宅に持ち帰るまでの間と、自宅で割り箸を使用するときに限られると思われる。
【０００９】
そこで、本考案の目的は、大きな面積の広告表示部を設けることができる台紙と、継続的に広告機能を発揮する広告表示部を設けることができるボトルキーパーとを組み合わせることにより、効果的な宣伝広告を行うことができる広告媒体を提供することにある。
【００１０】
本考案の他の目的は、ボトルキーパーにボトル所有者の名前を容易にかつ識別し易く表記することができるように、ボトルキーパーと、ボトル所有者の名前を表示するための複数の文字シールを含む文字シールシートと有する、広告媒体を提供することにある。
【００１１】
本考案の更に他の目的は、少なくとも第一及び第二の広告表示部とボトルキーパーと全部又は一部の文字シールを包装の外部から目視することができるように、台紙とボトルキーパーと文字シールシートを一体に包装してなる広告媒体を提供することにある。
【課題を解決するための手段】
【００１２】
前述の目的を達成するため、本考案の広告媒体は、アルコール飲料のボトルの首部に掛けられる係止部材にネームプレートを連結して成るボトルキーパーと、前記ボトルキーパーを係止する台紙と、表面に文字及び／又は記号が表記され、裏面に粘着剤が塗布された、複数の文字シールを備え、かつ、前記文字シールを個々に剥離可能に担持した、文字シールシートと、前記台紙に画成された第一の広告表示部と、前記ネームプレートに画成された第二の広告表示部と、前記ネームプレートに画成された前記文字シールの貼着部と有することを特徴とする。
【００１３】
本考案の広告媒体は、また、前記台紙にアルコール飲料のボトルの図画又は写真を印刷し、前記図画又は写真の前記ボトルの胴部に前記第一の広告表示部を画成し、前記図画又は写真の前記ボトルの頭部及び肩部に沿って前記台紙に切込みを形成し、前記ボトルキーパーの前記係止部材を前記切込みに係合させ、前記ネームプレートを前記図画又は写真の前記ボトルの上に配置したことを特徴とする。
【００１４】
本考案の広告媒体は、また、前記ネームプレートを木製又は合成樹脂製の板状部材で構成し、前記板状部材の一方の面を前記第二の広告表示部とし、前記板状部材の他方の面を空白部とし、前記空白部を前記文字シールの貼着部としたことを特徴とする。
【００１５】
本考案の広告媒体は、また、前記ボトルキーパーの前記係止部材を紐状部材によって構成し、前記紐状部材によって、アルコール飲料のボトルの首部に係合する環状部を形成したことを特徴とする。
【００１６】
本考案の広告媒体は、また、前記文字シールシートが、五十音、拗音、促音、濁音及び半濁音を含む、全てのひらがなを個々に表記した複数の文字シールと、敬称を表記した複数の文字シールを含むことを特徴とする。
【００１７】
本考案の広告媒体は、また、少なくとも第一及び第二の広告表示部とボトルキーパーと全部又は一部の文字シールを包装の外部から目視することができるように、前記ボトルキーパーと前記台紙と前記文字シールシートを一体に包装したことを特徴とする。
【００１８】
本考案の広告媒体は、また、前記台紙と前記文字シールシートを同一の寸法及び形状に形成し、前記図画又は写真と前記文字シールとが露出するように前記台紙と前記文字シールシートを重ね合わせ、前記図画又は写真と前記文字シールとが露出するように重ね合わされた前記台紙と前記文字シールを、前記ボトルキーパーと共に、透明な包装体に収納したことを特徴とする。
【考案の効果】
【００１９】
本考案の広告媒体によれば、ボトルキーパーを台紙に係止させることによって、第一の広告表示部と第二の広告表示部が並置される。したがって、本考案の広告媒体を手にとった顧客に対して、これら二つの広告表示部から、広告客体についての幅広い情報を提供することができる。このとき、第一の広告表示部の広告客体は台紙の表面に平面的に表されるのに対し、第二の広告表示部の広告客体は立体的なネームプレートに表示される。したがって、本考案の広告媒体によれば、顧客に対して、平面的な広告表示部と立体物の上に配置された広告表示部とから、広告客体についての強い印象を与えることができる。
【００２０】
台紙から取り外されたボトルキーパーは、アルコール飲料のボトルの首部から吊り下げられる。このとき、ボトルキーパーの係止部材がボトルの首部に掛けられ、ネームプレートが係止部材によってボトルの胴部の前方に配置される。ネームプレートには、第二の広告表示部と文字シールの貼着部が画成されているから、文字シートシールから剥がした文字シールをこの文字シールの貼着部に張り、ボトルの所有者の名前をネームプレートに表示する。このように、本考案の広告媒体は、ボトルキーパーと、ボトル所有者の名前を表示するための複数の文字シールを含む文字シールシートとを有するから、文字シールシートから選択した文字シールをネームプレートに貼着することによって、ボトルキーパーにボトル所有者の名前を、容易に、かつ、識別し易く、表記することができる。
【００２１】
ボトル所有者の名前が表示されたボトルキーパーは、ボトルの首部から吊り下げられて、ボトルと共に飲食店に保管され、ボトルの所有者が来店したときには、ボトルの首部から吊り下げられた状態でボトルと共にテーブルに出される。このとき、ボトルキーパーのネームプレートに画成された第二の広告表示部には、本考案の広告媒体が配布されたときの広告客体が表記されている。したがって、本考案の広告媒体の構成要素の一つである台紙が既に廃棄されている場合でも、ボトルキーパーの第二の広告表示部は継続的に所期の広告機能を発揮する。また、ボトルキーパーは、新しく購入されたボトルに次々と掛け換えることによって継続的に使用され得る。よって、そのボトルキーパーが使用されている間は、ボトルキーパーは所期の広告機能を発揮し続ける。このように、本考案の広告媒体によれば、比較的大きな面積の広告表示部を設けることができる台紙と、継続的に広告機能を発揮する広告表示部を設けることができるボトルキーパーとを組み合わせることにより、効果的な宣伝広告を継続的に行うことができる。
【００２２】
ボトルキーパーのネームプレートを木製や合成樹脂製の板状部材で構成し、この板状部材の一方の面を第二の広告表示部とし、この板状部材の他方の面を空白部とし、この空白部を文字シールの貼着部にすることができる。このようなネームプレートを使用する場合には、飲食店でボトルを保管するときに、板状部材のボトル所有者の名前が表記された面が露出するように、ボトルキーパーを吊り換えることができる。これにより、一見してボトル所有者の名前を確認することができるから、飲食店におけるボトルの整理作業に極めて便宜である。そして、ボトル所有者にボトルを提供するときには、ボトルキーパーを再度吊り換えることにより、板状部材の第二の広告表示部を瞬時に露出させることができる。
なお、接客係の従業員を多数雇用する飲食店では、ボトルキーパーのネームプレートの第二の広告表示部に、そのボトル所有者を担当する従業員の名前や写真を表示することができる。このような場合には、飲食店でボトルを保管するときに、担当従業員ごとにボトルを整理する方が便宜な場合がある。ネームプレートに表記されたボトル所有者の名前が重複する場合があるからである。飲食店において担当従業員ごとにボトルを整理する場合には、従業員の名前や写真が露出するようにボトルキーパーを吊り下げておけば良い。
【００２３】
本考案の広告媒体を構成するボトルキーパーと台紙と文字シールシートを一体として包装すれば、本考案の広告媒体の保管及び配布に便利である。このとき、少なくとも、第一及び第二の広告表示部と、ボトルキーパーと、全部又は一部の文字シールとを、包装の外部から目視することができるように包装することが望ましい。本考案の広告媒体の配布を受けた顧客が、第一及び第二の広告表示部を包装の外部から目視することができれば、包装されたままの状態で、その顧客に対して広告媒体の所期の広告機能が発揮される。また、その顧客がボトルキーパーと文字シールの全部又は一部を包装の外部から目視することができれば、文字シールはボトルキーパーに自分の名前や愛称等を表記するために同封されていることを理解するであろう。更に、例えば、台紙の下部に文字シールの使用方法を記載しておくことができる。台紙に文字シールの使用方法が記載されていれば、顧客が文字シールの使用目的を誤解することを防止することができる。これにより、本考案の広告媒体の配布を受けた顧客が、文字シールを貼着することにより完成した自分のボトルキーパーを想像して、この広告媒体に対する興味を増すことが期待される。これに伴い、顧客は第一及び第二の広告表示部に表記された広告客体にも注意を払うであろう。
【００２４】
台紙にアルコール飲料のボトルの図画又は写真を印刷し、この図画又は写真のボトルの頭部及び肩部に沿って、台紙に切込みを形成し、ボトルキーパーの係止部材をこの切込みに係合させ、ネームプレートを図画又は写真のボトルの上に配置すれば、ボトルの首部から吊り下げられて使用されるボトルキーパーの実際の使用状態を台紙上に表現することができる。これにより、ボトルキーパーと文字シールの使用方法をより明確に暗示することができる。このとき、第一の広告表示部は、図画又は写真で表記されたボトルの胴部に画成することができる。
【００２５】
本考案の広告媒体を構成するボトルキーパーと台紙と文字シールシートを包装するに際しては、例えば、台紙と文字シールシートを同一の寸法及び形状に形成し、これらの台紙と文字シールシートを重ね合わせる。このとき、台紙と文字シールシートは、ボトルの図画又は写真が印刷された面が外側に露出し、かつ、文字シートが外側に露出するように、重ね合わされる。このように重ね合わされた台紙と文字シールシートを、台紙に係止されたボトルキーパーと共に、透明な包装体に収納することが好ましい。本考案の広告媒体をこのように包装すれば、台紙と文字シールシートを重ね合わせることによって、包装体を小型化することができる。また、この包装体の正面からは、第一及び第二の広告表示部と、台紙に印刷されたボトルの図画又は写真と、図画又は写真のボトルの首部から釣り下がったボトルキーパーを目視することができる。そして、この包装体を裏返せば、この包装体の裏面から文字シールシートの文字シールを目視することができる。
【００２６】
なお、第一の広告表示部に表示される広告客体と、第二の広告表示部に表示される広告客体は、異なる構成を有することができる。例えば、比較的大きな表示面積を有する台紙の広告表示部には、写真と文字からなる広告を表示し、比較的小さな表示面積を有するネームプレートの広告表示部には、文字又は写真のみを表示することができる。
【００２７】
本考案の広告媒体の特徴は、以下、図面を参照して説明する本考案の実施例の記述から明らかになる。
【図面の簡単な説明】
【００２８】
【図１】図１（Ａ）は、本考案の実施例の広告媒体を透明な包装体に収納したときの正面図、図１（Ｂ）は、図１（Ａ）の包装体の裏面図である。
【図２】図２は、本考案の広告媒体を構成するボトルキーパーの斜視図である。
【図３】図３は、図２のボトルキーパーの正面図である。
【図４】図４は、図３のボトルキーパーの背面図である。
【図５】図５は、図２のボトルキーパーをアルコール飲料のボトルの首部から吊り下げたときの斜視図である。
【図６】図６（Ａ）は、本考案の広告媒体を構成する台紙の実施例の正面図、図６（Ｂ）は、図６（Ａ）の台紙の裏面図である。
【図７】図７（Ａ）は、本考案の広告媒体を構成する文字シールシートの実施例の正面図、図７（Ｂ）は、図７（Ａ）の文字シールシートの裏面図である。
【考案を実施するための形態】
【００２９】
効果的な広告機能を継続的に発揮することができる広告媒体を提供するという目的を、ボトルキーパーと、ボトルキーパーを係止する台紙と、複数の文字シールを含む文字シールシートとによって達成する。
【実施例】
【００３０】
以下、図１乃至７を参照して、本考案の広告媒体の一実施例を説明する。
【００３１】
広告媒体１は、ボトルキーパー２と台紙３と文字シールシート４を有する。
ボトルキーパー２は、図２乃至４に示すように、ネームプレート２ａと係止部材２ｂを有する。ネームプレート２ａは木製又は合成樹脂製の板状部材で構成され、広告媒体１の第二の広告表示部Ｂとして使用することができる一方の側面２ｃと、この側面２ｃの反対側に位置して、文字シールの貼着部Ｃとして使用することができる、他方の側面２ｄを有する。図４中、参照番号４ａは文字シールを示す。ボトルキーパー２の係止部材２ｂは柔軟な紐状部材によって構成される。この紐状部材には環状部２ｅを形成する。環状部２ｅの径は、図５に示すように、アルコール飲料のボトル５の首部５ａに掛かるように、適度な大きさを有する。係止部材２ｂの紐状部材は、組みひも等の繊維系材料で作ることができる。また、この紐状部材は、金属製又は合成樹脂製の鎖で作ることもできる。なお、ネームプレート２ａを木製の板によって作る場合には、係止部材２ｂは組みひも等の繊維系材料で作ることが好ましい。
【００３２】
図６（Ａ）、（Ｂ）に示すように、台紙３は長方形の厚紙で作られている。台紙３の表面３ａにはアルコール飲料のボトル６が印刷され、ボトル６の胴部のラベル印刷位置に第一の広告表示部Ａが画成される。そして、印刷されたボトル６の頭部６ａから肩部６ｂ、６ｃにかけて、台紙３に切込みＤを形成する。切込みＤは、ボトル６の一方の肩部６ｂから、頭部６ａを経て、他方の肩部６ｃまで連続する。
【００３３】
図７（Ａ）、（Ｂ）に示すように、文字シールシート４は剥離紙４ｂに担持された複数の文字シール４ａを有する。文字シール４ａの表面には、五十音、拗音、促音、濁音及び半濁音を含む、全てのひらがなが個々に表記され、更に、「様」、「殿」、「君」、「ちゃん」、「先生」、「社長」、「社」、「家」、「屋」等の表記が付されている。文字シール４ａの表面にハートマーク等の記号を表記することもできる。各文字シール４ａの裏面には粘着材が塗布され、各文字シール４ａは剥離紙４ａから個々に剥離可能である。
【００３４】
広告媒体１の広告機能を妨げることなく、広告媒体１をコンパクトに包装するには、図６及び７に示すように、台紙３と文字シールシート４を同一の寸法及び形状に形成する。そして、図１に示すように、台紙３の表面３ａと文字シールシート４の文字シール４ａが外側に露出するように、台紙３と文字シールシート４を重ね合わせる。ボトルキーパー２は、図１（Ａ）に示すように、係止部材２ｂの環状部２ｅを台紙３の切込みＤに掛け止めすると共に、ネームプレート２ａを印刷されたボトル６の上に配置して、台紙３の表面３ａに載置される。これにより、ボトルキーパー２は、その係止部材２ｂの環状部２ｅを台紙３に印刷されたボトル６の肩部６ｂ、６ｃに係合させて、ネームプレート２ａをボトル６の首部６ｄから吊り下げた状態になり、台紙３に印刷されたボトル６と協働して、ボトルキーパー２の使用状態を表示することになる。
【００３５】
図１（Ａ）、（Ｂ）に示すように、包装体７は、透明な袋状の収納部７ａと展示用の係止部７ｂを有する。収納部７ａの底部には蓋体７ｃが一体的に形成され、展示用の係止部７ｂにはフック係合孔７ｄが形成されている。台紙３の表面３ａと文字シールシート４の文字シール４ａが外側に露出するように重ね合わされた台紙３と文字シールシート４は、台紙３の切込みＤに掛け止めされたボトルキーパー２と共に、包装体７の下方から収納部７ａに挿入され、蓋体７ｃによって密封される。このとき、ボトルキーパー２のネームプレート２ａは、第二の広告表示部Ｂが露出するように配置される。
【００３６】
これにより、包装体７に包装された広告媒体１は、包装体７の表側には、図１（Ａ）に示すように、第一の表示部Ａと第二の表示部Ｂと台紙３の表面３ａとボトル６に係止されたボトルキーパー２を露出させ、包装体７の裏側には、図１（Ｂ）に示すように、文字シールシート４の複数の文字シール４ａを露出させることができる。なお、広告媒体１は、蓋体７ｃを開くことによって、包装体の収納部７ａから容易に取り出すことができる。
【００３７】
なお、ボトルキーパー２、台紙３、文字シールシート４及び包装体７の形状や寸法は、図１乃至７に示した実施例の形態に拘わらず、いずれも、任意に決定することができる。
【符号の説明】
【００３８】
１    広告媒体
Ａ    第一の広告表示部
Ｂ    第二の広告表示部
Ｃ    文字シールの貼着部
Ｄ    台紙に形成された切込み
２    ボトルキーパー
２ａ  ネームプレート
２ｂ  係止部
３    台紙
４    文字シールシート
４ａ  文字シール
６    台紙に印刷されたアルコール飲料のボトル
７    包装体
７ａ  透明な収納部
７ｃ  蓋体
【図１】
0003190645.tif 000003
【図２】
0003190645.tif 000004
【図３】
0003190645.tif 000005
【図４】
0003190645.tif 000006
【図５】
0003190645.tif 000007
【図６】
0003190645.tif 000008
【図７】
0003190645.tif 000009